(57)【要約】【課題】  携帯端末を用いたＳＮＳと電子マネー決済を管理し、システムの普及に不可欠な代理店会員への報酬分配を可能にする会員制Ｗｅｂ電子マネーサイト管理システムの提供【解決手段】  毎月一定額の電子マネーを購入し、仮想店舗或いは店舗での購入・利用を行なう個人会員の携帯端末１と、個人会員及び店舗会員の募集と会員制Ｗｅｂサイトへの会員登録を勧誘する代理店活動を行なう代理店会員の携帯端末２と、店舗会員の携帯端末３ａ並びに決済端末機３ｂと、会員制Ｗｅｂサイト管理コンピュータ５０とから構成し、携帯端末１から利用店舗のＩＤと利用電子マネーの決済申込を受付け、会員の電子マネー残高で決済可能か判定し、即時に当該利用店舗の携帯端末３ａに決済ＩＤ番号と共に決済可否メールを送信し、携帯端末３ａから決済ＩＤ番号と、受付け承認の応答があった場合、電子マネー残高を更新し電子マネー利用履歴ファイル４４に登録することを特徴とする。【選択図】    図１
2008305112.tif 000002
【特許請求の範囲】
【請求項１】
携帯電話のＷｅｂサイトを介して、ＳＮＳ（ソーシァル・ネットワーキング・サービス）及び会員制の電子マネーによる決済サービスを提供する会員制Ｗｅｂ電子マネーサイト管理システムであって、
毎月一定額の電子マネーを購入し、店舗会員の仮想店舗からの商品購入或いは飲食・サービスを含む店舗での購入・利用を行なう個人会員の携帯端末と、
前記個人会員及び店舗会員の募集と、会員制Ｗｅｂサイトへの会員登録を勧誘する代理店活動を行なう代理店会員の携帯端末と、
会員制Ｗｅｂサイトに店舗情報を公開し、前記個人会員及び代理店会員が購入した電子マネーでの支払い決済と引き換えに商品サービスを提供する店舗会員の携帯端末並びに店舗に備えた決済端末機と、
前記各携帯端末及び決済端末機とインターネットを介して接続された会員制Ｗｅｂサイト管理コンピュータとから構成され、
前記会員制Ｗｅｂサイト管理コンピュータは、携帯端末に表示可能なホームページを備えたＷｅｂサーバと、会員登録を行なう個人・代理店会員登録手段と、店舗会員の会員登録を行う店舗会員情報登録手段と、店舗会員の商品、サービスに関する情報及び広告・アンケートの登録要求を受付けて登録を行なうと共にホームページに公開する店舗情報登録・公開手段と、会員からの電子マネー購入申込の受付及び口座振替による前払いに応じて電子マネーの残高を更新登録する前払い電子マネー登録手段と、店舗情報を閲覧した個人会員及び代理店会員に電子マネーのポイントを登録する店舗情報閲覧ポイント登録手段と、会員からの仮想店舗での商品・サービス要求の受付及び商品・サービスの提供処理を行なう通販受付け処理手段と、店舗会員の店舗での商品購入及び飲食などのサービスの電子マネーでの支払い受付処理を行なう店舗支払い処理手段と、売上に対する電子マネーの支払いに伴い店舗会員、代理店会員及び個人会員に対する電子マネー決済及び現金決済を行う売上報酬決済手段と、前記ＳＮＳの閲覧履歴の管理を行なうＳＮＳ管理手段と、前記店舗会員からの広告をメールとして個人会員、代理店会員に一斉配信するメール一斉配信手段と、前記店舗会員からのアンケートの配信と回答分析を行なうアンケート配信分析手段と、を少なくとも備える管理サーバと、
各手段により登録・更新される、会員情報ファイルと、店舗情報ファイルと、商品情報ファイルと、電子マネー利用履歴ファイルと、Ｗｅｂ閲覧履歴ファイルを少なくとも記録したデータベースサーバを備えることを特徴とする会員制Ｗｅｂ電子マネーサイト管理システム。
【請求項２】
前記店舗支払い処理手段は、会員の携帯端末から利用店舗のＩＤと利用する電子マネーの決済申込を受付け、会員の電子マネー残高で決済可能か判定し、即時に当該利用店舗の店舗会員の携帯端末に決済ＩＤ番号と共に決済可否メールを送信し、店舗会員の携帯端末から決済ＩＤ番号と、利用電子マネーの確認と支払い受付け承認の応答があった場合、利用会員の電子マネー残高を更新し電子マネー利用履歴ファイルに登録する携帯端末決済手段を備えることを特徴とする請求項１記載の会員制Ｗｅｂ電子マネーサイト管理システム。
【請求項３】
前記店舗支払い処理手段は、会員ＩＤ情報が記録されたＩＤカードを持参した個人会員又は代理店会員から商品・サービスの利用電子マネーの決済要求があった場合、前記店舗会員の店舗に備えたカードリーダを内蔵しインターネットに接続可能な決済端末機からＩＤカード情報を読み込み、利用電子マネーの決済申込を受付け、会員の電子マネー残高で決済可能か判定し、即時に当該利用店舗の決済端末機に決済ＩＤ番号と共に決済可否を送信し、利用電子マネーの確認と支払い受付け承認の応答があった場合、利用会員の電子マネーを更新し電子マネー利用履歴ファイルに登録する決済端末決済手段を備えることを特徴とする請求項１記載の会員制Ｗｅｂ電子マネーサイト管理システム。
【請求項４】
前記売上報酬決済手段は、所定締め切り期間の前記電子マネー利用履歴ファイルを読み出し、利用個人会員に１％、個人会員の紹介者である代理店会員に３％、会員制Ｗｅｂサイト管理者の電子マネー口座に３％の電子マネーを売上報酬として算定し、各会員電子マネー残高に加算登録すると共に、各会員の携帯端末に通知し、同時に店舗会員の銀行口座に残り９３％相当の電子マネー売上を現金に換算して振込み処理することを特徴とする請求項１記載の会員制Ｗｅｂ電子マネーサイト管理システム。
【請求項５】
前記電子マネー登録手段は、個人会員及び代理店会員の銀行口座から毎月一定額を口座引き落としで入金し、入金額に相当する電子マネーを会員の電子マネー口座に登録することを特徴とする請求項１記載の会員制Ｗｅｂ電子マネーサイト管理システム。
【発明の詳細な説明】
【技術分野】
【０００１】
本発明は、携帯電話のＷｅｂサイトを介して、ＳＮＳ（ソーシァル・ネットワーキング・サービス）及び会員制の電子マネーによる決済サービスを提供する管理システムに関する。
【背景技術】
【０００２】
地域に立地する一般店舗、飲食店、サービス事業者においては、タウン誌への広告、新聞折込み広告、割引クーポンの配布などの広告宣伝費用をかけて集客、販売促進を図っているが、消費者、利用者を確実に集めることは難しいのが実情である。
【０００３】
いかによい商品、サービスを提供できても、先ずは来店を促進しなければ、売上の増加を図ることはできない。また、従来の広告宣伝では、費用をかけても効果が期待できない問題があった。
【０００４】
２００７年の携帯電話の普及台数は９７００万台となり、携帯端末によるＷｅｂサイトの広告が注目されているが、何らかの動機付けが無いと、閲覧される確率が低い問題があった。この解決策としては、ＳＮＳ（ソーシァル・ネットワーキング・サービス）のように、信頼関係の強いネットワークを介して、Ｗｅｂサイトの閲覧を促進することが効果的である。
【０００５】
また、ＳＮＳの参加者を会員とし、確実に誘客して消費させるためには、会員間で流通する電子マネーでの決済システムが望まれる。
【０００６】
また、電子マネーの利用者会員と、その電子マネーを利用可能な店舗が少なければ事業のメリットがないため、利用者会員と利用可能な加盟店舗を急速に拡大させるための仕組みが無ければならない問題があった。
【０００７】
特許文献１は、非接触ＩＣカードを利用した電子マネー決済システムであるが、これらの電子マネーは、カードリーダ（読取り機）／ライター（書き込み機）を、利用店舗に配置するインフラが整備されなければ普及させることができないため、公共交通機関やコンビニエンスストアチェーン、大手流通企業のメンバーカードと共に普及している。
【０００８】
しかしながら、一般小売業や、飲食店など小規模事業者にとっては、カードリーダ／ライターの投資に見合う利用が危ぶまれるため、利用できない問題があった。
【０００９】
【特許文献１】特開２００６−２６０１９６号公報（第２、３頁、第１図）
【発明の開示】
【発明が解決しようとする課題】
【００１０】
本発明は、前述の問題に鑑みてなされたもので、携帯端末（インターネット接続可能な携帯電話）を用いたＳＮＳと電子マネー決済を管理し、システムの普及に不可欠な代理店会員への報酬分配を可能にする会員制Ｗｅｂ電子マネーサイト管理システムの提供を課題とする。
【課題を解決するための手段】
【００１１】
前記課題を解決するため、本発明の会員制Ｗｅｂ電子マネーサイト管理システムは、携帯電話のＷｅｂサイトを介して、ＳＮＳ（ソーシァル・ネットワーキング・サービス）及び会員制の電子マネーによる決済サービスを提供する会員制Ｗｅｂ電子マネーサイト管理システムであって、
毎月一定額の電子マネーを購入し、店舗会員の仮想店舗からの商品購入或いは飲食・サービスを含む店舗での購入・利用を行なう個人会員の携帯端末と、
前記個人会員及び店舗会員の募集と、会員制Ｗｅｂサイトへの会員登録を勧誘する代理店活動を行なう代理店会員の携帯端末と、
会員制Ｗｅｂサイトに店舗情報を公開し、前記個人会員及び代理店会員が購入した電子マネーでの支払い決済と引き換えに商品サービスを提供する店舗会員の携帯端末並びに店舗に備えた決済端末機と、
前記各携帯端末及び決済端末機とインターネットを介して接続された会員制Ｗｅｂサイト管理コンピュータとから構成され、
前記会員制Ｗｅｂサイト管理コンピュータは、携帯端末に表示可能なホームページを備えたＷｅｂサーバと、会員登録を行なう個人・代理店会員登録手段と、店舗会員の会員登録を行う店舗会員情報登録手段と、店舗会員の商品、サービスに関する情報及び広告・アンケートの登録要求を受付けて登録を行なうと共にホームページに公開する店舗情報登録・公開手段と、会員からの電子マネー購入申込の受付及び口座振替による前払いに応じて電子マネーの残高を更新登録する前払い電子マネー登録手段と、店舗情報を閲覧した個人会員及び代理店会員に電子マネーのポイントを登録する店舗情報閲覧ポイント登録手段と、会員からの仮想店舗での商品・サービス要求の受付及び商品・サービスの提供処理を行なう通販受付け処理手段と、店舗会員の店舗での商品購入及び飲食などのサービスの電子マネーでの支払い受付処理を行なうと店舗支払い処理手段と、売上に対する電子マネーの支払いに伴い店舗会員、代理店会員及び個人会員に対する電子マネー決済及び現金決済を行う売上報酬決済手段と、前記ＳＮＳの閲覧履歴の管理を行なうＳＮＳ管理手段と、前記店舗会員からの広告をメールとして個人会員、代理店会員に一斉配信するメール一斉配信手段と、前記店舗会員からのアンケートの配信と回答分析を行なうアンケート配信分析手段と、を少なくとも備えた管理サーバと、
各手段により登録・更新される、会員情報ファイルと、店舗情報ファイルと、商品情報ファイルと、電子マネー利用履歴ファイルと、Ｗｅｂ閲覧履歴ファイルを少なくとも記録したデータベースサーバを備えることを特徴とする。
【００１２】
また、前記店舗支払い処理手段は、会員の携帯端末から利用店舗のＩＤと利用する電子マネーの決済申込を受付け、会員の電子マネー残高で決済可能か判定し、即時に当該利用店舗の店舗会員の携帯端末に決済ＩＤ番号と共に決済可否メールを送信し、店舗会員の携帯端末から決済ＩＤ番号と、利用電子マネーの確認と支払い受付け承認の応答があった場合、利用会員の電子マネー残高を更新し電子マネー利用履歴ファイルに登録する携帯端末決済手段を備えることを特徴とする。
【００１３】
また、前記店舗支払い処理手段は、会員ＩＤ情報が記録されたＩＤカードを持参した個人会員又は代理店会員から商品・サービスの利用電子マネーの決済要求があった場合、前記店舗会員の店舗に備えたカードリーダを内蔵しインターネットに接続可能な決済端末機からＩＤカード情報を読み込み、利用電子マネーの決済申込を受付け、会員の電子マネー残高で決済可能か判定し、即時に当該利用店舗の決済端末機に決済ＩＤ番号と共に決済可否を送信し、利用電子マネーの確認と支払い受付け承認の応答があった場合、利用会員の電子マネーを更新し電子マネー利用履歴ファイルに登録する決済端末決済手段を備えることを特徴とする。
【００１４】
また、前記売上報酬決済手段は、所定締め切り期間の前記電子マネー利用履歴ファイルを読み出し、利用個人会員に１％、個人会員の紹介者である代理店会員に３％、会員制Ｗｅｂサイト管理者の電子マネー口座に３％の電子マネーを売上報酬として算定し、各会員電子マネー残高に加算登録すると共に、各会員の携帯端末に通知し、同時に店舗会員の銀行口座に残り９３％相当の電子マネー売上を現金に換算して振込み処理することを特徴とする。
【００１５】
また、前記電子マネー登録手段は、個人会員及び代理店会員の銀行口座から毎月一定額を口座引き落としで入金し、入金額に相当する電子マネーを会員の電子マネー口座に加算登録することを特徴とする
【発明の効果】
【００１６】
本発明によれば、会員制Ｗｅｂサイトが運営するＳＮＳにより、店舗会員の商品、サービスの宣伝がネット上の口コミでなされるため、広告宣伝効果が確実に得られる。
【００１７】
さらに、個人会員、代理店会員が毎月一定額の電子マネーをチャージする仕組みであるため、継続的に店舗会員の商品、サービスの購入、利用で電子マネーの消費が確実になされる。
【００１８】
またさらに、代理店会員には、紹介加入した個人会員の消費した電子マネーの総額に対して一定率（３％）の売上報酬が分配されるため、継続的に電子マネー収入が得られる。この動機付け（インセンティブ）により、確実な電子マネー利用の個人会員の増加を図ることができる。ひいては、毎月利用される電子マネー総額が幾何級数的に増加し店舗会員の加入が促進され、個人会員の利用できる店舗、商品の幅が広がり利便性がさらに高まる。
【発明を実施するための最良の形態】
【００１９】
本発明の実施の形態を、以下詳細に説明する。図１は本発明の会員制Ｗｅｂ電子マネーサイト管理システムの構成図である。
【００２０】
図１に示す会員制Ｗｅｂ電子マネーサイト管理システム１００は、毎月一定額の電子マネーを購入し、店舗会員の仮想店舗からの商品購入或いは飲食・サービスを含む店舗での購入・利用を行なう個人会員の携帯端末１と、
前記個人会員及び店舗会員の募集と、会員制Ｗｅｂサイトへの会員登録を勧誘する代理店活動を行なう代理店会員の携帯端末２と、
会員制Ｗｅｂサイトに店舗情報を公開し、前記個人会員及び代理店会員に商品・サービスを提供し、電子マネーでの決済を行う店舗会員の携帯端末３ａと、店舗に備えたカードリーダを備えた決済端末機３ｂと、それらの端末とインターネット５を介して接続された会員制Ｗｅｂ電子マネーサイト管理コンピュータ５０とから構成されている。
【００２１】
店舗会員の決済端末機３ｂは、会員のＩＤカードを読み込むカードリーダと、カードリーダの入力信号を読み取りインターネットを介して送信するパーソナルコンピュータで構成することができるが、インターネット接続機能を備えた専用端末機であってもよい。
【００２２】
前記会員制Ｗｅｂ電子マネーサイト管理コンピュータ５０は、携帯電話及びパーソナルコンピュータからのアクセスに応答してホームページ１１を送信するＷｅｂサーバ１０と、管理業務を遂行する各手段を備えた管理サーバ２０と、管理業務によって登録更新されるデータベースサーバ４０とから構成されている。
【００２３】
前記管理サーバ２０は、個人・代理店会員登録手段２１と、店舗会員情報登録手段２２と、店舗情報登録・公開手段２３と、前払い電子マネー登録手段２４と、店舗情報閲覧ポイント登録手段２５と、通販受付処理手段２６と、店舗支払い処理手段２７と、売上報酬決済手段２８と、ＳＮＳ管理手段２９と、メール一斉配信手段３０と、アンケート配信分析手段３１と、を少なくとも備えたる。
【００２４】
前記データベースサーバ４０は、会員情報ファイル４１と、店舗情報ファイル４２と、各店舗会員の店舗及び仮想店舗で販売される商品及びサービスを記録する商品情報ファイル４３と、会員が店舗又は仮想店舗で購入或いは消費した電子マネーの利用履歴を記録する電子マネー利用履歴ファイル４４と、個人会員及び代理店会員が本システムのホームページを閲覧した履歴を記録するＷｅｂ閲覧履歴ファイル４５とを、少なくとも備える。
【００２５】
図３は会員情報ファイル４１の構成を示す。会員情報ファイル４１は、会員ＩＤ４１ａと、個人会員、代理店会員、店舗会員の会員区分、入会日付、ＩＤ番号、紹介会員ＩＤ番号を記録する会員区分情報４１ｂと、氏名、住所、電話番号、メールアドレス、会員パスワード、銀行口座番号を含む個人情報を記録する会員基本情報４１ｃと、電子マネー残高、仮払い電子マネー額、などを記録する電子マネー口座情報４１ｄと、Ｗｅｂサイト利用履歴を記録するＷｅｂサイト利用履歴情報４１ｅを備える。
【００２６】
図４は店舗情報ファイル４２の構成を示す。店舗情報ファイル４２は、店舗ＩＤ４２ａと、店舗の所在地、地図、業態、及び店舗に関する情報を記録する店舗基本情報４２ｂと、
売り出しなどの店舗イベント情報４２ｃと、電子マネー残高を記録する電子マネー口座情報４２ｄと、会員から閲覧された店舗のホームページを閲覧した会員を記録するＷｅｂサイト閲覧履歴情報４２ｅを備える。
【００２７】
次に、本システムの管理サーバ２０に備えた各手段の動作について詳細に説明する。
【００２８】
前記個人・代理店会員登録手段２１は、入会希望の個人会員の携帯端末１及び代理店会員の携帯端末２からのアクセスに応答し、ユニークな会員ＩＤ番号を採番して会員情報ファイル４１に登録する手段である。
【００２９】
店舗会員情報登録手段２２は、入会希望の店舗会員の携帯端末３ａからのアクセスに応答し、ユニークな会員ＩＤ番号を採番して会員情報ファイル４１に登録する手段である。
【００３０】
店舗情報登録・公開手段２３は、店舗会員から提供される店舗の写真、サービスメニュー、商品に関する情報を管理端末１３から入力して店舗情報ファイル４２及び商品情報ファイル４３に登録すると共に、ホームページ１１に公開する手段である。
【００３１】
前払い電子マネー登録手段２４は、会員からの電子マネー購入申込の受付及び口座振替による前払いに応じて電子マネーの残高を更新登録する手段で、会員の銀行口座から毎月一定金額を本システムの管理会社の口座に自動振込みする契約を予め締結しておき、銀行からの口座振込み通知に基づいて、管理端末１３より会員ＩＤ番号と入金金額を入力し、そのデータにより会員情報ファイル４１の電子マネー残高を更新する。
【００３２】
店舗情報閲覧ポイント登録手段２５は、ホームページ１１の店舗情報を閲覧した個人会員及び代理店会員にポイントを付与する手段で、閲覧した個人会員及び代理店会員の会員情報ファイル４１の電子マネー残高にポイントの電子マネーを加算し、Ｗｅｂ閲覧履歴ファイル４５に閲覧履歴として記録すると共に、電子マネー利用履歴ファイル４４に店舗会員の広告費負担として登録する。尚、この電子マネーポイントは、閲覧されたホームページ１１の店舗会員が広告費として負担する。
【００３３】
通販受付処理手段２６は、会員からの仮想店舗での商品・サービス要求の受付及び商品サービスの提供処理を行う手段で、個人会員の携帯端末１又は代理店会員の携帯端末２からのホームページ１１へのアクセスに応答して、商品・サービスの情報を携帯端末に表示し、商品・サービスが選択されたとき、会員情報ファイル４１の電子マネー残高での購入可否を判定し、精算可能なとき仮払い電子マネーとして残高から差し引くと共に、店舗会員の携帯端末３ａに商品・サービスの注文・発送手配メールを送信すると共に注文した個人会員の携帯端末１又は代理店会員の携帯端末２に注文受付メールを送信し、次に店舗会員の携帯端末３ａ又は店舗会員の決済端末機３ｂから商品・サービスの発送通知を受信して仮払い電子マネーを店舗会員の電子マネー口座に加算すると共に電子マネー利用履歴ファイル４４に登録する。
【００３４】
図２は、店舗支払い処理手段２７の構成を示す。店舗支払い処理手段２７は携帯端末決済手段２７ａと、決済端末決済手段２７ｂの二つを備える。
【００３５】
携帯端末決済手段２７ａは、店舗会員の店舗での商品購入及び飲食などのサービスの電子マネーでの支払い受付処理を行う手段で、個人会員の携帯端末１又は代理店会員の携帯端末２から、利用店舗会員のＩＤ番号と、利用電子マネーの決済要求を受付け、会員情報ファイル４１の電子マネー残高を読み出して、決済可能か判断し、決済可能なとき仮払い電子マネーとして残高から差し引くと共に、店舗会員の携帯端末３ａ又は店舗会員の決済端末機３ｂに決済ＩＤ番号と決済電子マネー額を示す決済可否メールを送信し、店舗会員の携帯端末３ａ又は決済端末機３ｂから決済ＩＤ番号と利用電子マネーの確認と支払い承認の応答を受付け、利用会員の会員情報ファイル４１の電子マネー残高を更新し、電子マネー利用履歴ファイル４４に登録する。
【００３６】
この決済において利用会員は、店舗の支払いレジスターで購入商品又はサービスの利用電子マネー額の提示を受け、自己の携帯端末の電子マネー支払い画面に、支払い先店舗のＩＤ番号と、利用電子マネー額を入力して決済要求を送信する。
【００３７】
店舗会員は、利用会員のアクセスに応答して即座に送信される決済可否メールを受信して、決済ＩＤ番号と、利用電子マネー額を確認して承認メールを送信することで、電子マネーの決済を受けることができる。
【００３８】
また、決済端末決済手段２７ｂは、会員ＩＤ情報が記録されたＩＤカードを持参した個人会員又は代理店会員から商品・サービスの利用電子マネーの決済要求があった場合、前記店舗会員の店舗に備えたカードリーダを内蔵しインターネットに接続可能な決済端末機からＩＤカード情報を読み込み、利用電子マネーの決済申込を受付け、会員の電子マネー残高で決済可能か判定し、即時に当該利用店舗の決済端末機３ｂに決済ＩＤ番号と共に決済可否を送信し、利用電子マネーの確認と支払い受付け承認の応答があった場合、利用会員の電子マネーを更新し電子マネー利用履歴ファイルに登録する。
【００３９】
売上報酬決済手段２８は、所定締め切り期間の前記電子マネー利用履歴ファイルを読み出し、利用個人会員に１％、個人会員の紹介者である代理店会員に３％、会員制Ｗｅｂサイト管理者の電子マネー口座に３％の電子マネーを売上報酬として算定し、各会員電子マネー残高に加算登録すると共に、各会員の携帯端末に通知し、同時に店舗会員の銀行口座に残り９３％相当の電子マネー売上を現金に換算して振込み処理する手段である。
【００４０】
ＳＮＳ管理手段２９は、ＳＮＳ（ソーシァル・ネットワーキング・サービス）の掲示板の開設、登録及び閲覧履歴の管理を行う手段である。
【００４１】
メール一斉配信手段３０は、前記店舗会員からの広告を受付け、全会員又は会員のプロフィール或いは会員のＷｅｂ閲覧履歴ファイル４５、電子マネー利用履歴ファイル４４により特定条件を満たす会員に対して告知メールを送信する手段である。
【００４２】
アンケート配信分析手段３１は、本システムの会員の要望を調査する目的或いは前記店舗会員からの要望に基づいて個人会員の携帯端末１又は代理店会員の携帯端末２にアンケートの配信を行い、その返信を受付けて分析する手段である。
【図面の簡単な説明】
【００４３】
【図１】本発明の会員制Ｗｅｂ電子マネーサイト管理システムの構成図である。
【図２】店舗支払い処理手段の構成図である。
【図３】会員情報ファイルの構成図である。
【図４】店舗情報ファイルの構成図である。
【符号の説明】
【００４４】
１    個人会員の携帯端末
２    代理店会員の携帯端末
３ａ  店舗会員の携帯端末
３ｂ  決済端末機
５    インターネット
１０    Ｗｅｂサーバ
１１    ホームページ
１２    ＬＡＮ
１３    管理端末
２０    管理サーバ
２１    個人・代理店会員登録手段
２２    店舗会員情報登録手段
２３    店舗情報登録・公開手段
２４    前払い電子マネー登録手段
２５    店舗情報閲覧ポイント登録手段
２６    通販受付処理手段
２７    店舗支払い処理手段
２７ａ  携帯端末決済手段
２７ｂ  決済端末決済手段
２８    売上報酬決済手段
２９    ＳＮＳ管理手段
３０    メール一斉配信手段
３１    アンケート配信分析手段
４０    データベースサーバ
４１    会員情報ファイル
４１ａ  会員ＩＤ
４１ｂ  会員区分情報
４１ｃ  会員基本情報
４１ｄ  電子マネー口座情報
４１ｅ  Ｗｅｂサイト利用履歴情報
４２    店舗情報ファイル
４２ａ  店舗ＩＤ
４２ｂ  店舗基本情報
４２ｃ  店舗イベント情報
４２ｄ  電子マネー口座情報
４２ｅ  Ｗｅｂサイト閲覧履歴情報
４３    商品情報ファイル
４４    電子マネー利用履歴ファイル
４５    Ｗｅｂ閲覧履歴ファイル
５０    会員制Ｗｅｂ電子マネーサイト管理コンピュータ
１００    会員制Ｗｅｂ電子マネーサイト管理システム
【図１】
2008305112.tif 000003
【図２】
2008305112.tif 000004
【図３】
2008305112.tif 000005
【図４】
2008305112.tif 000006